【事件の表示】
　特願２００７−１４６９６７「ゴルフパター用ヘッド及びこれを備えたゴルフパター」拒絶査定不服審判事件〔平成１９年　８月３０日出願公開、特開２００７−２１６０６１〕について、次のとおり審決する。
【結　論】
　本件審判の請求は、成り立たない。
【理　由】
１　手続の経緯
　本願は、平成１５年７月２３日に出願した特願２００３−２７８３５３号の一部を平成１９年６月１日に新たな特許出願としたものであって、平成２１年４月２２日に手続補正がなされ、同年６月２２日付けで拒絶査定がなされ、これに対して、同年９月１６日に拒絶査定不服審判が請求され、同時に手続補正がなされ、当審において、平成２１年９月１６日付けの手続補正が平成２２年１１月３０日付けで却下されるとともに同日付けで拒絶の理由（以下「当審拒絶理由」という。）が通知され、平成２３年１月１８日付けで手続補正がなされたものである。
　
２　本願発明
　本願の請求項１に係る発明（以下「本願発明」という。）は、平成２３年１月１８日付け手続補正によって補正された特許請求の範囲、明細書及び図面の記載からみて、その特許請求の範囲の請求項１に記載された事項によって特定されるとおりの次のものである。
　
「所定のライ角及びロフト角で水平面上に載置された状態において下記の（１）〜（３）で定義される三つの慣性モーメントのうち、第二モーメントが第三モーメントより大きく且つ第三モーメントが第一モーメントより大きい重量バランスに設定されており、第三モーメントの慣性モーメントを第二モーメントから引いた値が１５００（ｇ・ｃｍ２）以上且つ２０００（ｇ・ｃｍ２）以下であり、第一モーメントが９２０（ｇ・ｃｍ２）以上且つ１３２０（ｇ・ｃｍ２）以下であり、且つ、第二モーメントが３７００（ｇ・ｃｍ２）以上且つ６２００（ｇ・ｃｍ２）以下であることを特徴とするゴルフパター用ヘッド。
　（１）　第一モーメント：前記ヘッドの重心を通り且つフェース面及び前記水平面と平行な第一軸まわりの当該ヘッドの慣性モーメント
　（２）　第二モーメント：前記ヘッドの重心を通る鉛直方向の軸である第二軸まわりの当該ヘッドの慣性モーメント
　（３）　第三モーメント：前記ヘッドの重心を通り前記第一軸に垂直で且つ前記第二軸に垂直な第三軸まわりの当該ヘッドの慣性モーメント」
　
３　刊行物の記載事項
　当審拒絶理由で引用した「本願の出願前に頒布された刊行物である特開２００３−８８６０２号公報（以下「引用例」という。）」には、次の事項が記載されている。（下線は審決で付した。以下同じ。）
（１）「【０００７】慣性乗積は他の軸の周りの回転を伴うある一つの軸の周りのモーメントに関連している。これらのヘッドの回転は、ゴルフボールに対して、それぞれ、ドロー又はフェードスピン、或いはバックスピンを増やしたり減らしたする垂直又は水平のギア効果を生み出す。Iyy, Izzに関する通常のギア効果によって生ずるスピンとは異なり、これらのスピンはフェースの膨らみ半径及びロール半径を調節することによっては補償できない。クラブヘッドが３００ｃｃより大きくなるにつれて、また、Izz が３０００ｇ−ｃｍ２以上、Iyyが１８００ｇ−ｃｍ２以上と
慣性モーメントが大きくなるにつれて、慣性乗積もまた大きくなる傾向にある
慣性乗積が大きくなるにつれて散ばりに対して悪い影響が出て来る
　
（２）「【００２９】図１０、１０Ａ、１０Ｂはゴルフクラブヘッドの重心を通る慣性軸を示す。慣性軸はＸ，Ｙ及びＺで示されている。前後軸Ｘは、打球プレート２６から重心ＣＧを通りゴルフクラブヘッド２０の後部へ延びる。水平軸Ｙは、フェース２６に実質的に平行でゴルフクラブヘッド２０トオエンド３２から重心ＣＧを通り、ゴルフクラブヘッド２０のヒールエンド３４に延びる。垂直軸Ｚは、クラウン２４から重心ＣＧを通り、ソール２８に延びる。Ｘ軸、Ｙ軸及びＺ軸は互いに直交している。」
　
（３）「【００３９】
【表３】
　　　　　　　　　　　表３
┌−−−┬−−┬−−┬−−┬−−┬−−┬−−┬−−┐
｜ヘッド｜重量｜Ｉxx｜Ｉyy｜Ｉzz｜Ｉxy｜Ｉxz｜Ｉyz｜
├−−−┼−−┼−−┼−−┼−−┼−−┼−−┼−−┤
｜Ex.1　｜195g｜2700｜2000｜3500｜　75｜　75｜　75｜
└−−−┴−−┴−−┴−−┴−−┴−−┴−−┴−−┘
表３は本発明のゴルフクラブヘッド２０の慣性モーメント及び慣性乗積を示す。重りのない（重り部材４０がない）クラブヘッド２０は９０ｇ〜１２０ｇの重量を持ち、これにより、６０ｇ〜１０５gの
重りを配置
ゴルフクラブヘッド２０のＺ軸の回りの慣性モーメントIzz は２８００ｇ−ｃｍ
２
〜５０００ｇ−ｃｍ
２
の範囲となり、
ゴルフクラブヘッド２０のＹ軸の回りの慣性モーメントIyyは１５００ｇ−ｃｍ
２
〜２５００ｇ−ｃｍ
２
の範囲となり、
ゴルフクラブヘッド２０の慣性乗積Ixz は１００ｇ−ｃｍ
２
より小さい絶対値を持つ
好ましくは慣性乗積Ixz は５０ｇ−ｃｍ
２
より小さく、最も好ましくは慣性乗積Ixz は０に近い
　
（４）「【００５５】図３１は慣性乗積Izx の
オフ・センターヒールヒット
ゴルフボール６３にスライススピンをもたらすクロージング回転を生じさせる
トオ−アップモーメントを引き起こす
【００５６】図３２は慣性乗積Izxの
オフセンタートオヒット
ゴルフボール６３にドロースピンをもたらすオープン回転を生じさせ
トオ−ダウンモーメントを引き起こ
【００５７】図３３は慣性乗積Izx のオフセンターヒールヒットからのクローズする力に対する効果を示す。慣性乗積Izxは
ゴルフボール６３にバックスピンをもたらすトオ−アップ回転を生じさせ
クローズモーメントを引き起こ
【００５８】図３４は慣性乗積Izx の
オフセンタートオヒット
ゴルフボール６３にバックスピンをもたらすトオ−ダウン回転を生じさせ
オープニングモーメントを引き起こ
【００５９】図３５及び３６は９回のヒットパターンの平均の
慣性乗積Ixz の増加の距離への効果
ハイヒールヒットは慣性乗積Ixzが１００ｇ−ｃｍ
２
だけ増加する毎に−０．９ヤード
ロートオヒットは慣性乗積Ixzが１００ｇ−ｃｍ
２
だけ増加する毎に−０．９ヤードの効果
【００６０】図３７及び３８は９回のヒットパターンの平均の
慣性乗積Ixz の増加の散ばりへの効果を
ハイヒールヒットは慣性乗積Ixzが１００ｇ−ｃｍ
２
だけ増加する毎に４．５フィート、ハイトオヒットは慣性乗積Ixzが１００ｇ−ｃｍ
２
だけ増加する毎に３．９フィートの効果を与え
【００６１】図３９に示されるように、本発明のクラブヘッド２０は４つの領域、I, II, III, IV に区分される。I 又はIIIのいずれかの領域に加えられる質量は慣性乗積Ixy を増加させ、一方、II 又は IVのいずれかの領域に加えられる質量は慣性乗積Ixyを減少させる。与えられた領域内での質量を加える位置はIxy の変化の大きさを決定する。Ixyの増加分は加えられる質量“ｍ”の量と質量のＸＹ座標（Ｘ及びＹはゴルフクラブヘッド２０の重心ＣＧからの距離）の位置により下記の式を使用して決定される。
【００６２】Ixy=§§mdxdy
結果として、Ｘ軸又はＹ軸に沿っての質量の付加はIxy に関しては影響を及ぼさず、一方、Ｘ軸及びＹ軸の２等分する斜めの線に沿う質量の付加はIxyに関して大きな影響（増加又は減少）を与える。
【００６３】図４０に示されるように、本発明のクラブヘッド２０は４つの領域I, II, III, IVに区分される。I又はIIIのいずれかの領域に
加えられる質量
質量の値“ｍ”と質量のＸＺ座標（ＸＺはゴルフクラブヘッド２０の重心ＣＧの位置から測定される）により
決定される
【００６４】
Ixz=§§mdxdz
Ｘ軸又はＺ軸に沿っての質量の付加はIxz に関しては影響を及ぼさず、一方、Ｘ軸及びＺ軸の２等分する斜めの線に沿う質量の付加はIxz に関して大きな影響（増加又は減少）を与える
　
（５）図１０、図１０Ａ、図１０Ｂ、図１１、図１１Ａ及び図４０の記載から、ライ角度α及びロフト角度αで座標（ＸＨ、ＹＨ）を含む水平面上に載置された状態のゴルフクラブヘッド２０に関して、その重心ＣＧを通り且つそのフェース２６及び前記水平面と平行なＹ軸、前記ゴルフクラブヘッド２０の重心ＣＧを通る鉛直方向の軸であるＺ軸、および、前記ゴルフクラブヘッド２０の重心ＣＧを通り前記Ｙ軸に垂直で且つ前記Ｚ軸に垂直なＸ軸が見て取れる。
　
（６）上記（１）ないし（５）から、引用例には、
「ライ角度α及びロフト角度αで水平面上に載置された状態において、その重心を通り且つそのフェース及び前記水平面と平行なＹ軸、前記ゴルフクラブヘッドの重心を通る鉛直方向の軸であるＺ軸、および、前記ゴルフクラブヘッドの重心を通り前記Ｙ軸に垂直で且つ前記Ｚ軸に垂直なＸ軸を定義して、前記Ｘ軸の周りの慣性モーメントＩxxが２７００ｇ−ｃｍ２であり、前記Ｙ軸の周りの慣性モーメントＩyyが１５００ｇ−ｃｍ２〜２５００ｇ−ｃｍ２の範囲であり、かつ、前記Ｚ軸の周りの慣性モーメントＩzzが２８００ｇ−ｃｍ２〜５０００ｇ−ｃｍ２の範囲であるように重りを配置したゴルフクラブヘッドにおいて、
　慣性モーメントが大きくなるにつれて大きくなる傾向にあり、大きくなるにつれて散ばり及び距離に対して悪い影響が出て来る慣性乗積であり、オフセンターヒールヒットにより、トオ−アップモーメントを引き起こしゴルフボールにスライススピンをもたらすクロージング回転を生じさせるとともにクローズモーメントを引き起こしゴルフボールにバックスピンをもたらすトオ−アップ回転を生じさせ、また、オフセンタートオヒットにより、トオ−ダウンモーメントを引き起こしゴルフボールにドロースピンをもたらすオープン回転を生じさせるとともにオープニングモーメントを引き起こしゴルフボールにバックスピンをもたらすトオ−ダウン回転を生じさせるものであって、その値が１００ｇ−ｃｍ２だけ増加する毎に、例えばハイヒールヒットの場合４．５フィート右に散らばるとともに−０．９ヤードの距離になり、例えばハイトオヒットの場合３．９フィート左に散らばり、例えばロートオヒットの場合−０．９ヤードの距離になるといった悪い影響を示し、値“ｍ”の質量を加えることによる増加分は、ゴルフクラブヘッドの重心の位置から測定される質量のＸＺ座標により、Ixz=§§mdxdzで決定される、ゴルフクラブヘッドの慣性乗積Ixz の絶対値を、できるだけ０に近く、好ましくは慣性乗積Ixz は５０ｇ−ｃｍ２より小さく、上限でも１００ｇ−ｃｍ２にはならないように、慣性乗積Ixz に関しては影響を及ぼさないＸ軸又はＺ軸に沿って質量を付加する一方、慣性乗積Ixzに関して大きな影響を与えるＸ軸及びＺ軸の２等分する斜めの線に沿っては質量の付加を避けるようにして、前記慣性モーメントＩyy及びＩzzを上記範囲内の値に調整したゴルフクラブヘッド。」の発明（以下「引用発明」という。）が記載されているものと認められる。
　
４　対比
　本願発明と引用発明とを対比する。
（１）引用発明の「ライ角度α」、「ロフト角度α」、「水平面」、「『ゴルフクラブヘッド』の『重心』」、「フェース」、「Ｙ軸」、「慣性モーメント」、「『ゴルフクラブヘッド』の『重心』を通り且つそのフェース及び前記水平面と平行な『Ｙ軸』の周りの『慣性モーメントＩyy』」、「Ｚ軸」、「『ゴルフクラブヘッド』の『重心』を通る鉛直方向の軸である『Ｚ軸』の周りの『慣性モーメントＩzz』」、「Ｘ軸」、「『ゴルフクラブヘッド』の『重心』を通り前記Ｙ軸に垂直で且つ前記Ｚ軸に垂直な『Ｘ軸』の周りの『慣性モーメントＩxx』」及び「前記Ｘ軸の周りの慣性モーメントＩxxが２７００ｇ−ｃｍ２であり、前記Ｙ軸の周りの慣性モーメントＩyyが１５００ｇ−ｃｍ２〜２５００ｇ−ｃｍ２の範囲であり、かつ、前記Ｚ軸の周りの慣性モーメントＩzzが２８００ｇ−ｃｍ２〜５０００ｇ−ｃｍ２の範囲であるように重りを配置」は、それぞれ、本願発明の「所定のライ角」、「所定のロフト角」、「水平面」、「ヘッドの重心」、「フェース面」、「第一軸」、「慣性モーメント」、「ヘッドの重心を通り且つフェース面及び前記水平面と平行な第一軸まわりの当該ヘッドの慣性モーメントで定義される第一モーメント」、「第二軸」、「ヘッドの重心を通る鉛直方向の軸である第二軸まわりの当該ヘッドの慣性モーメントで定義される第二モーメント」、「第三軸」、「ヘッドの重心を通り前記第一軸に垂直で且つ前記第二軸に垂直な第三軸まわりの当該ヘッドの慣性モーメントで定義される第三モーメント」及び「第二モーメントが第三モーメントより大きく且つ第三モーメントが第一モーメントより大きい重量バランスに設定」に相当する。
　
（２）引用発明の「ゴルフクラブヘッド」と本願発明の「ゴルフパター用ヘッド」とは「ゴルフクラブヘッド」である点で一致する。
　
（３）上記（１）及び（２）からみて、本願発明と引用発明とは、
「所定のライ角及びロフト角で水平面上に載置された状態において下記の（１）〜（３）で定義される三つの慣性モーメントのうち、第二モーメントが第三モーメントより大きく且つ第三モーメントが第一モーメントより大きい重量バランスに設定されているゴルフクラブヘッド。
　（１）　第一モーメント：前記ヘッドの重心を通り且つフェース面及び前記水平面と平行な第一軸まわりの当該ヘッドの慣性モーメント
　（２）　第二モーメント：前記ヘッドの重心を通る鉛直方向の軸である第二軸まわりの当該ヘッドの慣性モーメント
　（３）　第三モーメント：前記ヘッドの重心を通り前記第一軸に垂直で且つ前記第二軸に垂直な第三軸まわりの当該ヘッドの慣性モーメント」の点で一致し、次の点で相違する。
　
相違点１：
　本願発明では、「第三モーメントの慣性モーメントを第二モーメントから引いた値が１５００（ｇ・ｃｍ２）以上且つ２０００（ｇ・ｃｍ２）以下」であり、「第一モーメントが９２０（ｇ・ｃｍ２）以上且つ１３２０（ｇ・ｃｍ２）以下」であり、且つ、「第二モーメントが３７００（ｇ・ｃｍ２）以上且つ６２００（ｇ・ｃｍ２）以下」であるのに対して、引用発明では、「第一モーメント（慣性モーメントＩyy）」は、「１５００ｇ−ｃｍ２〜２５００ｇ−ｃｍ２の範囲」であり、「第二モーメント（慣性モーメントＩzz）」は、「２８００ｇ−ｃｍ２〜５０００ｇ−ｃｍ２の範囲」であり、且つ、「第三モーメント（慣性モーメントＩxx）」が２７００ｇ−ｃｍ２であるから、「第三モーメントの慣性モーメントを第二モーメントから引いた値」は「１００ｇ−ｃｍ２〜２３００ｇ−ｃｍ２の範囲」であり、「第一モーメントが１３２０（ｇ・ｃｍ２）以下」ではない点。
　
相違点２：
　前記ヘッドが、本願発明では「ゴルフパター用」であるのに対して、引用発明では、パターに限らない「ゴルフクラブ用」である点。
　
５　判断
　上記相違点１及び２について検討する。
（１）相違点１について
　ア　引用発明の第二モーメントは２８００ｇ−ｃｍ２〜５０００ｇ−ｃｍ２の範囲内の値に設定されるのであるから、引用発明において、第二モーメントを設定する際に、４２００（ｇ・ｃｍ２）〜４７００（ｇ・ｃｍ２）の範囲に含まれる特定の具体的な値に設定することは、当業者が適宜なし得たことである。
　その結果、引用発明の第二モーメントは３７００（ｇ・ｃｍ２）以上且つ６２００（ｇ・ｃｍ２）以下の範囲内に含まれることになるとともに、引用発明の第三モーメントの慣性モーメントを第二モーメントから引いた値は、１５００（ｇ・ｃｍ２）〜２０００（ｇ・ｃｍ２）の範囲内に含まれることになる。
　したがって、引用発明において、「第二モーメントが３７００（ｇ・ｃｍ２）以上且つ６２００（ｇ・ｃｍ２）以下」であり、「第三モーメントの慣性モーメントを第二モーメントから引いた値が１５００（ｇ・ｃｍ２）以上且つ２０００（ｇ・ｃｍ２）以下」であるものとなすことは、当業者が適宜なし得たことである。
　
　イ　「第一モーメントが９２０（ｇ・ｃｍ２）以上且つ１３２０（ｇ・ｃｍ２）以下」の点について
（ア）本願明細書の発明の詳細な説明には、本願発明の「第一モーメントが９２０（ｇ・ｃｍ２）以上且つ１３２０（ｇ・ｃｍ２）以下」であるとの事項について、「第一モーメントが９２０（ｇ・ｃｍ２）以上且つ１３２０（ｇ・ｃｍ２）以下であり」（【０００６】及び【０００８】）との記載があり、【表１】には、実施例１として第一モーメントが「９１７」（ｇ・ｃｍ２）のものが記載されているが、この実施例１のものは本願発明の「第一モーメントが９２０（ｇ・ｃｍ２）以上且つ１３２０（ｇ・ｃｍ２）以下」であるとの事項を満たしておらず、【表１】に記載のものの中では実施例２として記載されているもののみが本願発明の「第一モーメントが９２０（ｇ・ｃｍ２）以上且つ１３２０（ｇ・ｃｍ２）以下」であるとの事項を満たしており、その実施例２のフィーリング評価が【表１】に記載されているものの中では最高の「４．９」となっている。
　
（イ）また、発明の詳細な説明の【表１】に記載されているものの中ではフィーリング評価が最高の「４．９」となっているものは、実施例２の他に「参考例８」があり、この参考例８のものの第一モーメントは２３４０（ｇ・ｃｍ２）であり、本願発明の「第一モーメントが９２０（ｇ・ｃｍ２）以上且つ１３２０（ｇ・ｃｍ２）以下」であるとの事項を満たしていない。
　
（ウ）一方、発明の詳細な説明には、「表１中、第一モーメントをＩ１とし、第二モーメントをＩ２とし、第三モーメントをＩ３とした。この表１に示すように、市販品である従来例１乃至従来例１３では、不等式Ｉ３＞Ｉ２＞Ｉ１が成立している。即ち、全ての従来例において、第三モーメントＩ３が最も大きく、次いで第二モーメントＩ２が大きく、第一モーメントＩ１が最も小さい。これに対して実施例１〜２及び参考例１〜８は、いずれも不等式Ｉ２＞Ｉ３＞Ｉ１が成立している。即ち、全ての実施例において、第二モーメントＩ２が最も大きく、次いで第三モーメントＩ３が大きく、第一モーメントＩ１が最も小さい。」（【００４９】）との記載がある。
　
（エ）引用発明のものは、その「第一モーメント（慣性モーメントＩyy）」は「１５００ｇ−ｃｍ２〜２５００ｇ−ｃｍ２の範囲」であるところ、この範囲内の第一モーメントのものである参考例８も、本願発明の「第一モーメントが９２０（ｇ・ｃｍ２）以上且つ１３２０（ｇ・ｃｍ２）以下」の範囲内の第一モーメントのものである実施例２と同等に評価され得ることは、上記（イ）のとおりである。
　
（オ）上記（ウ）の記載からみて、本願発明に含まれる実施例２のものは、第三モーメントＩ３が最も大きく、次いで第二モーメントＩ２が大きく、第一モーメントＩ１が最も小さいくなっていた全ての従来例のものと比較して、第二モーメントＩ２が最も大きく、次いで第三モーメントＩ３が大きく、第一モーメントＩ１が最も小さいという特徴を備えているものであるところ、この特徴は、実施例２のものに限らず、実施例１のものや参考例１〜８のものも備えており、引用発明のものも備えている。
　
（カ）上記（ア）ないし（オ）からみて、本願発明の「第一モーメントが９２０（ｇ・ｃｍ２）以上且つ１３２０（ｇ・ｃｍ２）以下」であるの点は、上記参考例８や引用発明などと比較して、設計上の事項を超える技術上の意義を有しているものとは認められない。
　したがって、本願発明の「第一モーメントが９２０（ｇ・ｃｍ２）以上且つ１３２０（ｇ・ｃｍ２）以下」であるの点は、当業者が実施に際して適宜決定することができた設計上の事項にすぎない。
　
　ウ　したがって、引用発明において、上記相違点１に係る本願発明の構成となすことは、当業者が適宜なし得たことである。
　
（２）相違点２について
　ゴルフパターがゴルフクラブの一種であることは一般常識であり、且つ、ゴルフパターのスイングすなわちゴルフパターのストロークによりボールを打つ際に、中心を外れたストロークによってフェースを回転させようとする望ましくない捻れ効果が発生し、この捻れ効果をその回転に対する抵抗力を増すことにより低減させるために、スウィートスポットを拡大するために、ミスショットしても距離などのボールの転がりに影響しないようにするために、あるいはブレを軽減するために、慣性力あるいは慣性能力すなわち慣性モーメントを増大させる工夫が行われてきたことは本願出願前に周知である（以下「周知技術」という。例．当審拒絶理由で引用した特開平９−２２０３０３号公報（【０００２】及び【０００３】参照。）、同じく当審拒絶理由で引用した特開平１０−７６０３３号公報（【０００５】及び【０００６】参照。）、同じく当審拒絶理由で引用した特開２００１−２３１８９８号公報（【００１６】参照。）、同じく当審拒絶理由で引用した特開２００２−２１００４９号公報（【０００２】参照。）、同じく当審拒絶理由で引用した特開平３−２２４５７９号公報（３頁右下欄１３行〜５頁左上欄３行参照。）、同じく当審拒絶理由で引用した特開平１１−１７８９６２号公報（【０００１】〜【０００９】参照。）、同じく当審拒絶理由で引用した特許第２６１３８４９号公報（【０００１】〜【０００４】及び【０００９】〜【００１０】参照。））ところ、引用発明の「ゴルフクラブヘッド」は、慣性モーメントが大きくなるにつれて大きくなる傾向にあり、大きくなるにつれて散ばり及び距離に対して悪い影響が出て来る慣性乗積Ixz の絶対値を、できるだけ０に近くするために、Ｘ軸又はＺ軸に沿って質量を付加する一方、慣性乗積Ixzに関して大きな影響を与えるＸ軸及びＺ軸の２等分する斜めの線に沿っては質量の付加を避けるようにして、前記慣性モーメントＩzzを上記範囲内の大きな値に調整したものであるから、引用発明の「ゴルフクラブヘッド」の構成を、ゴルフクラブの一種であるゴルフパター用のものに採用することは、当業者が周知技術に基づいて容易になし得たことである。
　
（３）本願発明の奏する効果は、引用発明の奏する効果及び周知技術の奏する効果から、当業者が予測することができた程度のものである。
　
（４）まとめ
　以上のとおりであるから、本願発明は、当業者が引用例に記載された発明及び周知技術に基づいて容易に発明をすることができたものである。
　
６　むすび
　本願発明は、上記５のとおり、当業者が引用例に記載された発明及び周知技術に基づいて容易に発明をすることができたものであるから、特許法第２９条第２項の規定により特許を受けることができない。
　よって、結論のとおり審決する。